(57)【要約】【課題】シート状導体を用いる場合において、抵抗損失の増加を抑制することができ、且つ、容易に製造することができるシートコイルを提供する。【解決手段】実施形態のシートコイルである環状コイル１０は、並列に配置した２枚のシート状導体（５、６）を複数回巻回して形成されたものであって、それぞれのシート状導体（５、６）を、１ターン中における内周側に配置される部位の長さと外周側に配置される部位の長さとが等しくなるように内周側と外周側とで入れ替えるとともに、内周側と外周側とを入れ替える転位位置９をメインギャップ１１から１ターン目に設けた。【選択図】図５
2019067977.tif 000002
【特許請求の範囲】
【請求項１】
並列に配置した２枚のシート状導体を複数回巻回して形成されるシートコイルであって、
それぞれの前記シート状導体を、１ターン中における内周側に配置される部位の長さと外周側に配置される部位の長さとが等しくなるように内周側と外周側とで入れ替えるとともに、内周側と外周側とを入れ替える転位位置をメインギャップから１ターン目に設けたことを特徴とするシートコイル。
【請求項２】
２枚の前記シート状導体は、前記転位位置に対応して、短手方向に互いに逆向きのスリットが形成されており、互いのスリットをはめ合うことで内周側と外周側とが入れ替えられていることを特徴とする請求項１記載のシートコイル。
【請求項３】
前記転位位置において前記シート状導体が連続している側の部位である連続部に、前記シート状導体に電気的に接続され、少なくとも前記スリットの幅よりも長く形成されている補助導体を設けたことを特徴とする請求項２記載のシートコイル。
【請求項４】
２枚の前記シート状導体は、並列に配置された状態のまま一括で折り曲げられることにより、内周側と外周側とが入れ替えられていることを特徴とする請求項１記載のシートコイル。
【請求項５】
２枚の前記シート状導体は、一方のシート状導体を折り曲げることなく、他方のシート状導体を一方のシート状導体の短手側を経由して折り曲げることで、内周側と外周側とが入れ替えられていることを特徴とする請求項１記載のシートコイル。
【請求項６】
２枚の前記シート状導体は、一方の前記シート状導体が短手方向に２分割されており、
分割されたそれぞれの部位は、他方の前記シート状導体の長手方向に沿ってそれぞれ配置されているとともに、他方のシート状導体の短手側の端部を経由して折り曲げることで、内周側と外周側とが入れ替えられていることを特徴とする請求項１記載のシートコイル。
【請求項７】
分割されたそれぞれの部位は、他方のシート状導体の内周側と外周側とにそれぞれ互い違いに長手方向に沿って並列で配置されていることを特徴とする請求項６記載のシートコイル。
【請求項８】
２枚の前記シート状導体は、それぞれ短手方向において２分割されており、
分割されたそれぞれの部位は、それぞれが並列で配置されているとともに、いずれか一方の部位を折り曲げることなく、他方の部位を一方の部位の端手側の端部を経由して折り曲げることで、内周側と外周側とが入れ替えられていることを特徴とする請求項１記載のシートコイル。
【請求項９】
分割されたそれぞれの部位は、他方の前記シート状導体の分割位置側の端部を経由しているとともに、前記シート状導体の長手方向において互いに重ならない位置で折り曲げられていることを特徴とする請求項８記載のシートコイル。
【請求項１０】
少なくとも１枚の前記シート状導体は、当該シート状導体の内側に長手方向に沿って設けられた溝部によって短手方向に区分けされた複数の帯状部を有し、
２枚の前記シート状導体は、前記帯状部の両端において個別に当該帯状部を折り曲げることにより、内周側と外周側とが入れ替えられていることを特徴とする請求項１記載のシートコイル。
【請求項１１】
２枚の前記シート状導体は、前記転位位置の幅が当該シート状導体の幅未満となった状態で、内周側と外周側とが入れ替えられていることを特徴とする請求項１０記載のシートコイル。
【請求項１２】
前記溝部は、前記シート状導体の長手方向において半ターン分離間した位置に形成されており、
２枚の前記シート状導体は、それぞれの転位位置に対応する前記溝部において、内周側と外周側とが入れ替えられていることを特徴とする請求項１０または１１記載のシートコイル。
【請求項１３】
前記溝部は、少なくとも半ターン分の長さに形成されていることを特徴とする請求項１０または１１記載のシートコイル。
【請求項１４】
複数の前記帯状部のうち少なくとも２つの前記帯状部は、前記シート状導体の長手方向において同じ位置で重なるように曲げられていることを特徴とする請求項１０から１２のいずれか一項記載のシートコイル。
【請求項１５】
１枚のシート状導体を複数回巻回して形成されるシートコイルであって、
前記シート状導体の表面と裏面とを、１ターン中において内周側に配置される長さと外周側に配置される長さとが等しくなるように、内周側と外周側とを入れ替えたるとともに、内周側と外周側とを入れ替える転位位置をメインギャップから１ターン目に設けたことを特徴とするシートコイル。
【発明の詳細な説明】
【技術分野】
【０００１】
本発明の実施形態は、シート状導体を巻回して形成されるシートコイルに関する。
【背景技術】
【０００２】
従来、変圧器用のコイルを形成する導体中に発生する渦電流損を低減するために、内周側と外周側とを入れ替え、導体の漏洩磁束との鎖交量を均一化することで循環電流を抑制するいわゆる転位を採用することがある。
【０００３】
しかし、例えば特許文献１に記載されているようなシート状導体でコイルを形成するものにおいては、導体の断面積自体が比較的小さいことから、単位導体当たりの漏洩磁束の鎖交量も少なくなるため転位が採用されることはなかった。
【先行技術文献】
【特許文献】
【０００４】
【特許文献１】実開平２−４２２４号公報
【発明の概要】
【発明が解決しようとする課題】
【０００５】
ところで、高周波通電を行う場合、例えば１ｍｍ厚のシート状導体の場合、厚みの半分程度の領域にしか実際に電流が流れないため、シート状導体をより薄くすることが必要になる。そして、比較的薄いシート状導体を用いる場合、温度上昇を抑制するためには電流密度を例えば1ｍｍ厚のシート状導体と同程度にする必要があり、複数枚を並列に配置することが必要になる。
【０００６】
しかしながら、比較的薄いシート状導体を並列に接続して厚みを確保した場合には、転位をしなければ電流分布にそれほどの改善が見られず、むしろ抵抗損失が増加する傾向にあることが新たに判明した。その一方で、シート状導体の場合、比較的幅があることから転位させることが難しく、容易に製造できるようにすることも求められている。
そこで、シート状導体を用いる場合において、抵抗損失の増加を抑制することができ、且つ、容易に製造することができるシートコイルを提供する。
【課題を解決するための手段】
【０００７】
実施形態のシートコイルは、並列に配置した２枚のシート状導体を巻回して形成されるシートコイルであって、それぞれのシート状導体を、１ターン中における内周側に配置される部位の長さと外周側に配置される部位の長さとが等しくなるように内周側と外周側とで入れ替えるとともに、内周側と外周側とを入れ替える転位位置をメインギャップから１ターン目に設けた。
【図面の簡単な説明】
【０００８】
【図１】第１実施形態の変圧器を模式的に示す図
【図２】シート状導体の転位位置と抵抗損失との関係を示す図
【図３】第１の態様のシート状導体を模式的に示す図
【図４】シート状導体をはめ合わせた状態を模式的に示す図
【図５】シートコイル内の導体の配置を模式的に示す図
【図６】第２の態様のシート状導体の転位の態様を模式的に示す図
【図７】第３の態様のシート状導体の転位の態様を模式的に示す図
【図８】第４の態様のシート状導体の転位の態様を模式的に示す図その１
【図９】シート状導体の転位の態様を模式的に示す図その２
【図１０】第５の態様のシート状導体の転位の態様を模式的に示す図その１
【図１１】シート状導体の転位の態様を模式的に示す図その２
【図１２】第２実施形態による転位の態様を模式的に示す図
【図１３】第３実施形態のシート状導体を模式的に示す図
【図１４】シート状導体の転位の態様を模式的に示す図その１
【図１５】シート状導体の転位の態様を模式的に示す図その２
【図１６】シート状導体の転位の態様を模式的に示す図その３
【図１７】第４実施形態のシート状導体を模式的に示す図
【図１８】シート状導体の転位の態様を模式的に示す図その１
【図１９】シート状導体の転位の態様を模式的に示す図その２
【図２０】シート状導体の転位の態様を模式的に示す図その３
【図２１】シート状導体の転位の態様を模式的に示す図その４
【図２２】シート状導体の転位の態様を模式的に示す図その５
【図２３】シート状導体の転位の態様を模式的に示す図その６
【図２４】シート状導体の転位の態様を模式的に示す図その７
【発明を実施するための形態】
【０００９】
以下、複数の実施形態について図面を参照しながら説明する。
（第１実施形態）
以下、第１実施形態について説明する。第１実施形態では、２枚のシート状導体を用いる際の複数の転位のさせ方について説明する。
【００１０】
まず、図１および図２を参照しながら、各態様における共通事項について説明する。図１に示すように、例えば変圧器１は、環状に形成された鉄心２にコイルを設けることで形成されている。図１の場合、鉄心２には、それぞれの脚部に、シートコイルとしての内周側コイル３と外周側コイル４とが設けられている。
【００１１】
各コイルは、巻き始め位置や巻き終わり位置あるいは中間位置に引き出し線３ａ、引き出し線４ａが設けられており、例えば内周側コイル３が一次側、外周側コイル４が二次側となることで変圧機能を実現している。また、各コイルは、厚みが１ｍｍ未満のもの、例えば厚みが０．２５ｍｍ〜０．５ｍｍ程度のシート状に形成されたシート状導体を所定ターン数巻回することにより形成されている。
【００１２】
このようなシートコイルは、シート状導体の断面積が比較的小さいことから、単位導体当たりの漏洩磁束の鎖交量も少なくなるため、従来では転位が採用されることはなかった。その一方で、高周波通電を行う場合には、例えば１ｍｍ厚のシート状導体であっても厚みの半分程度しか電流が流れないことから、シート状導体をより薄くすることが必要になる。そして、シート状導体を薄くした場合には、温度上昇を抑制するために、電流密度を例えば1ｍｍ厚のものと同程度にする必要があり、複数枚を並列に配置する必要がある。
【００１３】
しかし、比較的薄いシート状導体を用いる場合には、並列に接続して厚みを確保したとしても、転位をしなければ電流分布にそれほどの改善が見られず、むしろ転位無しの場合には抵抗損失が増加する傾向にあることが判明した。このとき、転位をした場合には、シート状導体の厚みが薄くなるほど抵抗損失が期待通りに低下する傾向にあることも判明した。
【００１４】
さらに、シート状導体を複数回巻回する場合には、内周側と外周側とを入れ替える転位位置９（図５参照）を何ターン目にするかによって、抵抗損失が変化することも判明した。具体的には、図２に示すように、シート状導体を転位させた場合と転位させない場合とにおける抵抗損失の増加割合は、例えば巻回数が４ターンの場合、メインギャップ１１（図５参照）から１ターン目において転移させた場合の増加比率が最も小さく、メインギャップ１１（図５参照）からのターン数が増加するごとに、抵抗損失の増加割合が増加することが判明した。
【００１５】
メインギャップ１１は内周側コイル３と外周側コイル４との間に形成される隙間であることから、この図２から明らかなように、内周側コイル３であれば、最も外周側コイル４側となるターンにおいて転位すれば最も高い効果を得ることができ、外周側コイル４であれば、最も内周側コイル３側となるターンにおいて転位すれば最も高い効果を得ることができることを意味している。
【００１６】
このように、シート状導体を複数回巻回する場合には、必ずしも全てのターンにおいて転位させなくても、最もメインギャップ１１側となるターンにおいて転位させることにより、抵抗損失の増加を十分に抑制することができることが判明した。
そこで、本実施形態では、以下に示すように、例えば内周側コイル３および外周側コイル４のように少なくとも２つのコイルを同心状に配置したシートコイルにおいて、シート状導体を各種の態様で転位させることにより、容易に製造可能としつつ、抵抗損失の増加を抑制している。
【００１７】
＜第１の態様＞
以下、第１の態様について図３から図５を参照しながら説明する。
本態様では、２枚のシート状導体によりシートコイルを形成する。以下、図３に示すように、２枚のシート状導体のうち一方を第一導体５と称し、他方を第二導体６と称する。
【００１８】
これら第一導体５および第二導体６は、長さ（Ｗ１）、幅（Ｗ２）で概ね同一形状となるように形成されている。以下、各導体の長さ方向を長手方向、幅方向を短手方向と称し、短手方向における図示上方側の端部を便宜的に短手側の上端と称し、短手方向の図示下方側の端部を便宜的に短手側の下端と称し、図示手前側を便宜的に表面側と称し、図示奥側を便宜的に裏面側と称する。
【００１９】
第一導体５および第二導体６は、絶縁処理が施されている。絶縁処理は、並列に隣り合う導体間に絶縁部材を配置したり、少なくとも一方の導体に絶縁被覆を設けたり、少なくとも一方の導体の表面を加工して接触抵抗を増加させたり、それらを組み合わせたりすること等により施すことができる。
【００２０】
第一導体５および第二導体６には、それぞれスリット７が設けられている。このスリット７は、長手方向に所定の幅（Ｗ３）を有し、各導体の上端側または下端側に開口する形状に形成されている。具体的には、第一導体５は、図示左端側のスリット７は端手側の下端に開口しており、それに隣接するスリット７は端手側の上端に開口している。
【００２１】
また、第二導体６は、図示左端側のスリット７は端手側の上端に開口しており、それに隣接するスリット７は端手側の下端に開口している。なお、第一導体５を短手方向に裏返せば第二導体６となるため、実質的には、１種類の同一形状のシート状導体を２枚用いることで第一導体５と第二導体６とを用意することができる。
【００２２】
各スリット７は、切り込みの幅（Ｗ４）が、導体の幅（Ｗ１）の半分を超える長さであって、且つ、導体の幅（Ｗ１）を超えない長さに形成されている。本態様では、スリット７の切り込み幅（Ｗ４）は、導体の幅（Ｗ１）の半分を若干超える長さに形成されている。
【００２３】
また、各導体には、スリット７の位置に対応して、スリット７の開口側とは逆側の部位、すなわち、スリット７が形成されていない側であってシート状導体が連続している連続部に、概ね各導体と同じ厚みを有する補助導体８が設けられている。補助導体８は、長手方向において、スリット７の幅（Ｗ３）よりも長い幅（Ｗ５）となるように形成されている。この補助導体８は、第一導体５や第二導体６と同一の材料で形成されており、それぞれの部位において冷間圧接やロウ付け等により第一導体５または第二導体６導体と電気的に接続されている。
【００２４】
つまり、補助導体８は、スリット７を形成したことによって各導体の幅（Ｗ２）の半分程度となった連続部の断面積を、スリット７が形成されていない部位と同程度まで増加させている。これにより、補助導体８側にも十分に電流が流れるようになり、電流経路を確保することができる。
【００２５】
これら第一導体５および第二導体６は、厚み方向に並列に配置した状態で共に巻回されることにより、シートコイルを形成する。このとき、第一導体５および第二導体６は、互いのスリット７がはめ合わされ、スリット７の位置で内周側と外周側とが入れ替わるように巻回される。以下、内周側と外周側とが入れ替わる位置を転位位置９と称する。
【００２６】
具体的には、図４に示すように、並列に配置された第一導体５および第二導体６は、転位位置９よりも図示左方側において例えば第二導体６が図示手前側に位置しているとすると、転位位置９よりも図示右方側では第二導体６が図示奥方側に位置するように、互いのスリット７がはめ合わされる。
【００２７】
そして、環状コイル１０は、例えば巻き始めとなる０Ｔから１巻き目である１Ｔまでの１ターン分の範囲において、０Ｔから１．５Ｔまでは第二導体６が内周側、第一導体５が外周側に位置して巻回されており、１．５Ｔの位置において転位されて、第一導体５が内周側、第二導体６が外周側に位置するようになる。
【００２８】
すなわち、第一導体５および第二導体６は、１Ｔから２Ｔまでの１ターン中における内周側に配置される部位の長さと外周側に配置される部位の長さとが等しくなるように内周側と外周側とで入れ替えられるとともに、内周側と外周側とを入れ替える転位位置９が、メインギャップ１１側から１ターン目に設けられている。
【００２９】
これにより、環状コイル１０内の１巻きごとに転位されることで、抵抗損失を抑制することができるとともに、転位位置９を最も高い効果を得ることができる１箇所に設けているので、製造を容易に行うことができる。すなわち、製造の簡略化と抵抗損失の増加の抑制とを両立させることができる。また、比較的薄い第一導体５および第二導体６を用いているものの、それらを並列に配置することで電流密度を増加させることができ高周波通電を行う変圧器１にも適用することができる。
【００３０】
また、全長（Ｗ１）が等しく形成されている第一導体５と第二導体６とをスリット７をはめ合わせることで転位させているため、内周側との外周側との直列抵抗が等しくなり、電流の流れのバランスが取れたシートコイルを簡便且つ効率的に製造することができる。
【００３１】
また、第一導体５および第二導体６は、内周側と外周側とで入れ替える転位位置９に対応して短手方向に互いに逆向きのスリット７が形成されており、当該スリット７同士をはめ合うことで内周側と外周側とで入れ替えられている。これにより、第一導体５と第二導体６とをはめ合わせた際、短手方向にずれてしまうこと、つまりは、環状コイル１０を形成した際に各導体が外れてしまうことを防止できる。
【００３２】
また、第一導体５および第二導体６は、一方を裏返せば他方となることから、同一形状つまりは１種類のシート状導体でシートコイルを形成することができ、製造効率の改善や部材管理の簡素化を図ることができる。
【００３３】
また、スリット７が形成されていない側の連続部に、長手方向において少なくともスリット７の幅（Ｗ３）よりも長く形成され、シート状導体に電気的に接続される補助導体８を設けている。これにより、スリット７に対応する位置における断面積が増加し、電流の経路を妨げないことから、特性の悪化を抑制することができる。
【００３４】
本態様ではスリット７を互い違いとなる短手側に形成したが、スリット７は、同一の短手側に開口するように形成することもできる。また、その場合も、同一形状のシート状導体を用いてシートコイルを形成することができる。
【００３５】
＜第２の態様＞
以下、第２の態様について図６を参照しながら説明する。本態様は、２枚のシート状導体を一括で折り曲げて転位させるものである。
【００３６】
図６に示すように、２枚のシート状導体のうち一方を第一導体５と称し、他方を第二導体６と称する。なお、説明の簡略化のために、第二導体６には便宜的にハッチングを付している。また、各導体の長さ方向を長手方向、幅方向を短手方向と称し、短手方向における図示上方側の端部を便宜的に短手側の上端と称し、短手方向の図示下方側の端部を便宜的に短手側の下端と称し、図示手前側を便宜的に表面側と称し、図示奥側を便宜的に裏面側と称する。
【００３７】
第一導体５および第二導体６は、全長および幅がほぼ概ね同じとなる形状に形成されている。これら第一導体５および第二導体６は、少なくとも一方の表面に絶縁処理が施されている。絶縁処理は、並列に隣り合う導体間に絶縁部材を配置したり、絶縁被覆を設けたり、表面を加工して接触抵抗を増加させたり、それらを組み合わせたりすること等により施すことができる。
【００３８】
さて、第一導体５および第二導体６は、互いに対向した状態のまま一括で折り曲げることにより、内周側と外周側とを入れ替えて転位している。このとき、第一導体５および第二導体６は、最もメインギャップ側となるターンにおいて一括で折り曲げられている。より具体的には、第一導体５および第二導体６は、基本的には長手方向に並列に配置されており、例えば図示左端側において第一導体５が奥側、第二導体６が手前側となるように並列で配置されているとする。
【００３９】
このとき、各導体は、転位位置９において、第一導体５が図示手前側となるように短手方向に向けて一括で折り曲げられた後、端手側の上端の位置において図示手前側に向けて一括で折り曲げられ、その後、第一導体５が図示手前側となった状態で第一導体５および第二導体６が並列に配置された状態となるように、長手方向に向けて一括で折り曲げられている。
【００４０】
これにより、転位位置９において、第一導体５と第二導体６とが入れ替えられている。このとき、転位位置９の前後において互いの導体は並列に配置されている。そして、この第一導体５および第二導体６を巻回することにより、シートコイル内は、図５に示したようにメインギャップ１１側のターン中で転位された状態となる。これにより、抵抗損失を抑制することができる。
【００４１】
また、実施形態では最もメインギャップ１１側のターンのみで第一導体５と第二導体６とを入れ替えて転位させているので、全てのターンで転位させるものと比べて、転位に要する作業工数を削減することができる。したがって、製造の簡略化と抵抗損失の増加の抑制とを両立させることができる。
【００４２】
このとき、作業工数を削減する効果は、ターン数が多くなるほど顕著になる。そのため、大型のものや高出力型のコイルに適用することができる。勿論、シート状導体を転位させることで１ターン中における内周側に配置される部位の長さと外周側に配置される部位の長さとが等しくなり、特性が悪化するおそれを低減することができる。
【００４３】
＜第３の態様＞
以下、第３の態様について図７を参照しながら説明する。本態様は、２枚のシート状導体のうち一方のシート状導体を折り曲げて転位させるものである。
【００４４】
図７に示すように、２枚のシート状導体のうち一方を第一導体５と称し、他方を第二導体６と称する。なお、図７では、説明の簡略化のため、第二導体６に便宜的なハッチングを付している。また、各導体の長さ方向を長手方向、幅方向を短手方向と称し、短手方向における図示上方側の端部を便宜的に短手側の上端と称し、短手方向の図示下方側の端部を便宜的に短手側の下端と称し、図示手前側を便宜的に表面側と称し、図示奥側を便宜的に裏面側と称する。
【００４５】
これら第一導体５および第二導体６は、概ね同じ幅の形状に形成されている。また、第一導体５および第二導体６は、絶縁処理が施されている。絶縁処理は、並列に隣り合う導体間に絶縁部材を配置したり、少なくとも一方の導体に絶縁被覆を設けたり、少なくとも一方の導体の表面を加工して接触抵抗を増加させたり、それらを組み合わせたりすること等により施すことができる。
【００４６】
本態様では、ある転位位置９において、２枚のシート状導体のうち一方ここでは第一導体５を折り曲げることなく、他方ここでは第二導体６を第一導体５の短手側の端部を経由して折り曲げることで、内周側と外周側とを入れ替えて転位している。このとき、転位位置９の前後において互いの導体は並列に配置されている。なお、図７では第一導体５の上端を経由して折り曲げているが、第一導体５の下端を経由して折り曲げることもできる。
【００４７】
これにより、シート状導体自体には加工を施す必要なく、２枚のシート状導体を転位させることができ、抵抗損失を抑制することができる。１ターン中における内周側に配置される部位の長さと外周側に配置される部位の長さとが等しくなり、特性が悪化するおそれを低減することができる。
【００４８】
また、比較的厚めのシート状導体を用いる場合、２枚を重ねて折り曲げると導体が破断するおそれがあるものの、本態様のように一方のシート状導体を折り曲げて転位させることにより、破断するおそれを低減することができる。
【００４９】
＜第４の態様＞
以下、第４の態様について図８および図９を参照しながら説明する。本態様では、２枚のシート状導体のうち一方のシート状導体を２分割することで転位させる２種類の態様について説明する。
【００５０】
［態様その１］
図８に示すように、２枚のシート状導体のうち一方を第一導体５と称し、他方を第二導体６と称する。なお、図８では、説明の簡略化のため、第二導体６に便宜的なハッチングを付している。また、各導体の長さ方向を長手方向、幅方向を短手方向と称し、短手方向における図示上方側の端部を便宜的に短手側の上端と称し、短手方向の図示下方側の端部を便宜的に短手側の下端と称して説明する。
【００５１】
第一導体５および第二導体６は、絶縁処理が施されている。絶縁処理は、並列に隣り合う導体間に絶縁部材を配置したり、少なくとも一方の導体に絶縁被覆を設けたり、少なくとも一方の導体の表面を加工して接触抵抗を増加させたり、それらを組み合わせたりすること等により施すことができる。
【００５２】
これら第一導体５および第二導体６は、比較的幅広に形成されているとともに、第二導体６は、短手方向において２分割されている。以下、第二導体６を構成する分割されている部位を、便宜的に第二導体６Ａ、第二導体６Ｂと称する。なお、第二導体６Ａおよび第二導体６Ｂは、第二導体６を切断して形成する必要は必ずしもなく、第二導体６のほぼ半分の幅の個別のシート状導体を２枚用いることもできる。
【００５３】
第二導体６Ａおよび第二導体６Ｂは、例えば第一導体５の裏面側において、第一導体５の短手方向に並んだ状態で、長手方向に沿って第一導体５と並列で配置されている。そして、第一導体５の裏面側に配置されている第二導体６Ａおよび第二導体６Ｂは、ある転位位置９において、第一導体５のそれぞれ別の短手側の端部、つまりは、第一導体５の上端と下端とをそれぞれ経由して折り曲げられた後、第一導体５の表面において長手方向に沿って第一導体５と並列となるように配置されることで転位されている。
【００５４】
つまり、本態様では、一方のシート状導体である第一導体５を折り曲げることなく、他方のシート状導体である第二導体６を短手方向に２分割したものであり、分割された部位である第二導体６Ａおよび第二導体６Ｂは、第一導体５の長手方向に沿ってそれぞれ配置されているとともに、第一導体５のそれぞれ別の短手側の端部を経由して折り曲げることで、内周側と外周側とが入れ替えて転位している。
【００５５】
また、１ターン中における内周側に配置される部位の長さと外周側に配置される部位の長さとが概ね等しくなる。
これにより、シート状導体を用いる場合であっても抵抗損失を抑制することができるとともに、特性が悪化するおそれを低減することができる。また、シート状導体自体には加工を施す必要なく、２枚のシート状導体を転位させることができるため、製造の簡略化および効率化を図ることができる。
【００５６】
［態様その２］
第一導体５および第二導体６は、他の配置とすることができる。具体的には、図９に示すように、第二導体６Ａおよび第二導体６Ｂを、第一導体５の表面側と裏面側とにおいて、第一導体５の短手方向に互い違いとなる位置に、長手方向に沿って第一導体５と並列で配置することができる。
【００５７】
この場合、第二導体６Ａおよび第二導体６Ｂは、ある転位位置９において、自身に近い側の短手側の端部、つまりは、第二導体６Ａであれば第一導体５の上端、第二導体６Ｂであれば第一導体５の下端を経由して折り曲げられた後、第一導体５の表面において長手方向に沿って第一導体５と並列となるように配置されている。つまり、転位位置９の前後において互いの導体は並列に配置されている。
【００５８】
このような構成によっても、抵抗損失を抑制することができるとともに、特性が悪化するおそれを低減することができ、さらには、シート状導体自体には加工を施す必要なく、２枚のシート状導体を転位させることができるため製造の簡略化および効率化を図ることができる等の効果を得ることができる。
【００５９】
＜第５の態様＞
以下、第５の態様について図１０を参照しながら説明する。本態様では、２枚のシート状導体をそれぞれ２分割することで転位させる２種類の態様について説明する。
【００６０】
［態様その１］
図１０に示すように、２枚のシート状導体のうち一方を第一導体５と称し、他方を第二導体６と称する。なお、図８では、説明の簡略化のため、第二導体６に便宜的なハッチングを付している。また、各導体の長さ方向を長手方向、幅方向を短手方向と称し、短手方向における図示上方側の端部を便宜的に短手側の上端と称し、短手方向の図示下方側の端部を便宜的に短手側の下端と称して説明する。
【００６１】
第一導体５および第二導体６は、絶縁処理が施されている。絶縁処理は、並列に隣り合う導体間に絶縁部材を配置したり、少なくとも一方の導体に絶縁被覆を設けたり、少なくとも一方の導体の表面を加工して接触抵抗を増加させたり、それらを組み合わせたりすること等により施すことができる。
【００６２】
これら第一導体５および第二導体６は、比較的幅広に形成されているとともに、短手方向において２分割されている。以下、第一導体５を構成する分割されている部位を、便宜的に第一導体５Ａ、第一導体５Ｂと称し、第二導体６を構成する分割されている部位を、便宜的に第二導体６Ａ、第二導体６Ｂと称する。
【００６３】
なお、第一導体５Ａ、第一導体５Ｂ、第二導体６Ａおよび第二導体６Ｂは、第一導体５あるいは第二導体６を切断して形成する必要は必ずしもなく、ほぼ半分の幅の個別のシート状導体を用いることもできる。本実施形態では、必要とされる幅の半分の幅に形成された同一種類の４枚のシート状導体を用いて、第一導体５Ａ、第一導体５Ｂ、第二導体６Ａおよび第二導体６Ｂをそれぞれ構成している。
【００６４】
第一導体５Ａおよび第二導体６Ａは、長手方向に沿って並列で配置されている。また、第一導体５Ｂおよび第二導体６Ｂも、長手方向に沿って並列で配置されている。そして、第一導体５の裏面側に配置されている第二導体６Ａおよび第二導体６Ｂは、ある転位位置９において、第一導体５Ａ、第一導体５Ｂの短手側の端部、例えば、第一導体５Ａの上端と第一導体５Ｂの下端とをそれぞれ経由して折り曲げられた後、第一導体５Ａおよび第一導体５Ｂの表面側において長手方向に沿って第一導体５と並列となるように配置されることで転位されている。
【００６５】
このように、本態様では、２枚のシート状導体はそれぞれ短手方向において２分割されており、分割されたそれぞれの部位は、それぞれ並列で配置されているとともに、いずれか一方の部位を折り曲げることなく、他方の部位を一方の部位の端手側の端部を経由して折り曲げることで、内周側と外周側とが入れ替えられている。
【００６６】
このとき、１ターン中における内周側に配置される部位の長さと外周側に配置される部位の長さとが概ね等しくなる。
これにより、シート状導体を用いる場合であっても抵抗損失を抑制することができるとともに、特性が悪化するおそれを低減することができる。また、シート状導体自体には加工を施す必要なく、２枚のシート状導体を転位させることができるため、製造の簡略化および効率化を図ることができる。
【００６７】
また、転位位置９をシート状導体の長手方向において互いに重ならない位置に配置することにより、環状コイル１０の全周に亘って連続して転位させることができ、抵抗損失を低減する効果を向上させることができる。
この場合、転位位置９において、分割された部位の一方においては第二導体６を折り曲げ、分割された部位の他方においては第一導体５を折り曲げる構成とすることもできる。
【００６８】
［態様その２］
態様その１ではそれぞれ第一導体５の外側の端部を経由して第二導体６を折り曲げることで転位させる例を示したが、図１１に示すように、第一導体５の分割位置側の端部、つまりは、第一導体５Ａと第一導体５Ｂとの間の端部を経由して第二導体６Ａおよび第二導体６Ｂを折り曲げて、転位位置９の前後において互いの導体は並列に配置されるように転位させることができる。
【００６９】
また、それぞれの転位位置９を、長手方向において互いに重ならない位置とすることもできる。この場合、第一導体５を跨ぐことで第一導体５の端部よりもはみ出している跨ぎシロは、分割位置側に設定されるとともに、長手方向にずれることになる。そのため、分割された導体間の幅は、跨ぎシロ１つ分を確保できれば良く、各導体の幅方向の寸法、つまりは、シートコイルの高さ寸法を短くすることができ、変圧器１の窓寸法の増加を防ぐことができる。
【００７０】
（第２実施形態）
以下、第２実施形態について図１２を参照しながら説明する。第２実施形態では、１枚のシート状導体を用いてシートコイルを形成する際の転位のさせ方について説明する。
【００７１】
本態様では、図１２に示すように、１枚のシート状導体である単一導体２０を用いてシートコイルを形成する。以下、単一導体２０の長さ方向を長手方向、幅方向を短手方向と称し、短手方向における図示上方側の端部を便宜的に短手側の上端と称し、短手方向の図示下方側の端部を便宜的に短手側の下端と称し、図示手前側を単一導体２０の表面２０ａとし、図示奥側を裏面２０ｂとする。また、図１２では、説明の簡略化のため、単一導体２０の裏面２０ｂに便宜的なハッチングを付している。
【００７２】
この単一導体２０は、少なくとも一方の面に絶縁処理が施されている。絶縁処理は、単一導体２０に絶縁被覆を設けたり、単一導体２０を表面加工して接触抵抗を増加させたり、それらを組み合わせること等により施すことができる。
【００７３】
そして、単一導体２０は、転位位置９において、その表面２０ａと裏面２０ｂとを、１ターン中において内周側に配置される長さと外周側に配置される長さとが等しくなるように、内周側と外周側とで入れ替えられている。具体的には、転位位置９において裏面２０ｂが図示手前側となるように短手方向に向かって折り曲げられ、上端の位置において図示手前側に折り曲げられた後、裏面２０ｂが図示手前側となるように、且つ、転位位置９よりも図示左方側の表面２０ａと平行になるように折り曲げられる。
【００７４】
これにより、単一導体２０の長手方向における電流の流れ易さを、単一導体２０の表面側と裏面側とで均等にすることができ、実質的に電流の流れを表面側と裏面側、つまりは、環状に形成された状態における内周側と外周側とで均等にすることができる。
したがって、シート状導体を用いる場合であっても抵抗損失を抑制することができる。
また、単一導体２０には加工が必要なく、折り曲げるだけで転位させることができるため、製造の簡略化および効率化を図ることができる。
【００７５】
（第３実施形態）
以下、第３実施形態について図１３から図１６を参照しながら説明する。また、以下では、シート状導体を転位させる際の複数の態様について説明する。
【００７６】
＜第１の態様＞
図１３に示すように、本実施形態のシート状導体である第一導体５および第二導体６は、その内部に、転位位置９に対応して、長手方向に沿って複数、本実施形態では２本の溝部３０が形成されており、溝部３０によって短手方向に等分に区分けされた複数、本態様では３つの帯状部３１を有している。なお、第一導体５および第二導体６は、本態様では別符号を付して区別しているが、配置状態が異なっているだけであり、同一形状の部材を用いることができる。
【００７７】
溝部３０は、長手方向における長さ（Ｗ６）が、概ね長手方向における転位位置９の長さ必要となる長さで、第一導体５および第二導体６に１箇所形成されている。本実施形態の場合、溝部３０の長さ（Ｗ６）は、シート状導体の幅（Ｗ２）とほぼ同程度あるは若干長めに形成されている。また、溝部３０は、長手方向に帯状部３１の幅（Ｗ６１）だけずれて形成されている。なお、図１３では説明の簡略化のために溝部３０を矩形状に示しているが、溝部３０は、シート状導体を矩形状に切り取ることによって形成することもできるが、単なる切り込みを入れることによっても形成することができる。
【００７８】
さて、第一導体５は、図１４に示すように、それぞれの帯状部３１の両端のうち例えば図示左端側となる一端を短手方向に向けて９０度折り曲げるとともに、他端においてシート状導体が長手方向に沿うように９０度折り曲げられている。これにより、第一導体５は、転位位置９において、幅（Ｗ２）分だけ短手方向外側にずれた状態になる。
【００７９】
同様に、第二導体６も、それぞれの帯状部３１の両端のうち例えば図示左端側となる一端を短手方向に向けて９０度折り曲げるとともに、他端においてシート状導体が長手方向に沿うように９０度折り曲げられることで、転位位置９において幅（Ｗ２）分だけ短手方向外側にずれた状態になっている。
【００８０】
この第一導体５および第二導体６を転位位置９が一致するように並列に重ね合わせると、転位位置９の前後において、長手方向における位置が互い違いになった状態になる。そのため、第一導体５および第二導体６を短手側の端部において折り曲げることにより、第一導体５と第二導体６とが並列になった状態、且つ、転位位置９において表面側と裏面側とが入れ替えられた状態になる。
【００８１】
その状態で第一導体５および第二導体６を巻回することにより、前述した図５に示したような１箇所で転位された環状コイル１０が形成される。なお、内周側コイル３であれば転位位置９は最も外側のターンに位置し、外周側コイル４であれば転位位置９は最も内周側のターンに位置することになる。
【００８２】
＜第２の態様＞
第１の態様では第一導体５および第二導体６の双方に溝部３０を形成したが、一方にのみ溝部３０を形成することもできる。
【００８３】
例えば、図１５に転移後の状態として示すように、溝部３０を形成した第一導体５を溝部３０の両端で折り曲げることにより、転位位置９において表面側と裏面側とが入れ替えることができる。すなわち、並列に配置した第一導体５と第二導体６を転位させることができる。この場合、第一導体５は、第１の態様と同様の折り曲げ方をすることもできるが、前述した図７と同様に短手方向に折り曲げ、第二導体６の端部を跨いだ後に、長手方向に沿うように内向きつまりは第二導体６側で折り曲げることによっても転位させることができる。
【００８４】
また、図１６に転移後の状態として示すように、第一導体５を短手方向に折り曲げ、第二導体６の端部を跨いだ後に長手方向に沿うように外向きつまりは第二導体６とは反対側で折り曲げることによっても転位させることができる。
【００８５】
以上説明した実施形態によれば、次のような効果を得ることができる。
実施形態のシート状導体は、少なくとも１枚が当該シート状導体の内側に長手方向に沿って設けられた溝部３０によって短手方向に区分けされた複数の帯状部３１を有し、帯状部３１の両端においてそれぞれ個別に折り曲げることにより、内周側と外周側とが入れ替えられている。
【００８６】
これにより、第一導体５および第二導体６は、１ターン中における内周側に配置される部位の長さと外周側に配置される部位の長さとが等しくなり、且つ、転位位置９がメインギャップ１１側から１ターン目に設定されていることから、抵抗損失を抑制することができる。
【００８７】
また、転位位置９を最も高い効果を得ることができる１箇所に設定しているので、製造を容易に行うことができる。したがって、製造の簡略化と抵抗損失の増加の抑制とを両立させることができる。
【００８８】
（第４実施形態）
以下、第４実施形態について図１７から図２４を参照しながら説明する。
転位位置９では第一導体と第二導体とで電流の流れが必ずしも対称的とはならないため、特性に影響を与えるおそれがある。そのため、転位位置９の幅を短くすることが好ましいと考えられる。そこで、本実施形態では、以下のようにして、転位位置９の幅（Ｗ７。図１９参照）ができるだけ短くなる態様で転位させている。
【００８９】
図１７に示すように、本実施形態のシート状導体である第一導体５は、その内部に、長手方向に沿って複数、本実施形態では２本の溝部３０が形成されており、溝部３０によって短手方向に等分に区分けされた複数、本態様では３つの帯状部３１を有している。また、第一導体５は、長手方向の長さが、転位に必要となる長さ分だけ第二導体６よりも長く形成されている。なお、転位に必要となる長さは、概ねシート状導体の幅の倍程度である。
【００９０】
この溝部３０は、長手方向における位置が同じとなる状態で、第二導体６を跨いで並列に折り返すことができるように、シート状導体の長手方向において概ねシート状導体の幅（Ｗ２）の倍以下程度の長さ（Ｗ６）に形成されているとともに、短手方向において帯状部３１の幅（Ｗ６１）だけ互いに離間して形成されている。本実施形態では、各溝部３０は、転位位置９の微調整を可能とするために、必要最小限の長さよりも長くなるように形成している。なお、溝部３０は、単なる切り込みを入れることによっても形成することができるし、製造を簡略化するために全てを同じ長さで、長手方向において同じ長さに形成することもできる。
【００９１】
一方、第二導体６は、溝部３０が形成されていない。つまり、本実施形態では、２枚のシート状導体のうち少なくとも一方に溝部３０を形成し、本実施形態で言えば第一導体５を折り曲げることにより転位させる構成となっている。このため、第二導体６は、必要な長さに切断するだけで用意することができる。
【００９２】
第一導体５は、図１８に示すように、それぞれの帯状部３１の両端のうち例えば図示左端側となる一端を短手方向に向けて９０度折り曲げられる。このとき、それぞれの帯状部３１は、一端側で折り曲げた場合には、転位位置９に対応して互いに重なり合うことになる。
【００９３】
また、第一導体５は、帯状部３１の他端側も長手方向における位置が同じとなるように形成されていることから、他端側においても帯状部３１が重なるように長手方向に沿って折り曲げることにより、転位位置９において短手方向外側にオフセットした状態になる。そして、第二導体６を跨ぐように、且つ、第二導体側に向けた内向きに第一導体５を折り返すことにより、それぞれの帯状部３１が互いに重なった状態で、転位位置９において第一導体５と第二導体６とが入れ替わった状態になる。
【００９４】
このように折り曲げることにより、第一導体５は、図１９に示すように、帯状部３１の幅（Ｗ６１）分の長さがあれば、第二導体６を跨ぐことが可能になる。換言すると、並列に配置した状態の第一導体５および第二導体６を、転位位置９において、当該シート状導体の幅（Ｗ２）未満となる帯状部３１の幅（Ｗ６１）分で転位させることができる。
【００９５】
また、図２０に転移後の状態として示すように、帯状部３１の他端側において第二導体６を跨いで他端側を長手方向に沿うように外向きに９０度折り曲げた場合においても、それぞれの帯状部３１が互いに重なった状態で転位させることができる。
【００９６】
また、図２１に転移後の状態として示すように、第一導体５と第二導体６にそれぞれ１つの溝部３０を半ターン分だけ離間した位置に形成することもできる。図２１では、長さ（Ｗ８）が半ターン分に相当する。この場合、各シート状導体の溝部３０が半ターン分の長さだけ離間した位置に形成されているため、各シート状導体をそれぞれの溝部３０にて折り曲げることにより、転位位置９の間隔が半ターン分となった状態で転位することになる。
【００９７】
これにより、位置決めを容易に行いつつ転位させることができる。
このとき、図２１では、第一導体５と第二導体６とに１箇所ずつの溝部３０を形成しているが、２つの転位位置９において例えば第一導体５にのみ溝部３０を形成し、各転位位置９において第一導体５だけを折り曲げることによっても転位させることができる。
【００９８】
また、この図２１に示すように、転位位置９を複数設ける構成とすることができる。換言すると、最もメインギャップ１１側のターンに加えて、他のターンにおいても転位させる構成とすることができる。また、本実施形態に限らず、上記した第１実施形態から第３実施形態の各態様についても同様であり、最もメインギャップ１１側のターンに加えて他のターンにおいても転位させる構成とすることができる。例えば第１実施形態であれば、半ターン分の距離だけ離間してスリット７を形成することにより、複数の転位位置９を設けることができる。
【００９９】
また、図２２に転移後の状態として示すように、例えば第一導体５の溝部３０を、少なくとも半ターン分の長さ（Ｗ８）、より厳密には、半ターン分の長さ（Ｗ８）と転位に必要となるシート状導体の幅（Ｗ２）の倍程度の長さとを確保できる長さに形成し、溝部３０の両端において第二導体６を跨ぐように折り曲げることにより転位させることもできる。この場合も、帯状部３１は、その両端で折り曲げられることになる。
【０１００】
これにより、第一導体５については溝部３０を形成するだけでよく、第二導体６については加工を施す必要がなく、さらには、半ターン分の位置決めを容易に行いつつ転位させることができる。
【０１０１】
また、図２３に示すように、複数の帯状部３１のうち少なくとも２つの帯状部３１を、シート状導体の長手方向において同じ位置で重なるように曲げる構成とすることもできる。すなわち、１つの折り曲げ位置において帯状部３１を重ねる枚数を調整して折り曲げる構成とすることができる。
【０１０２】
この図２３では、複数の帯状部３１のうち２つの帯状部３１がシート状導体の長手方向において同じ位置で折り曲げられているとともに、残りの帯状部３１が長手方向にずれた位置で折り曲げられている。また、第二導体６を跨いだ帯状部３１を内向きに折り曲げることにより、第一導体５と第二導体６とを入れ替えている。
【０１０３】
これにより、１つの折り曲げ位置におけるシート状導体の厚みや短手方向外側への跨ぎシロを小さくすることができ、厚み寸法や高さ寸法が規制されているコイルに対しても適用することができる。この場合、帯状部３１が例えば４つ形成されていれば、２つの帯状部３１を重ねて折り曲げる位置を長手方向にずらして２箇所設ける構成とすることもできるし、１箇所において２つの帯状部３１を重ねて折り曲げ、他の帯状部３１は長手方向にずらした位置にてそれぞれ単体で折り曲げる構成とすることもできる。
【０１０４】
また、帯状部３１を折り曲げる態様は他にもあり、例えば図２４に示すように、第二導体６を跨いだ帯状部３１を外向きに折り曲げる態様とすることもできる。これにより、転移後に第二導体６と並列になる第一導体５によって転位位置９で折り曲げられた帯状部３１が覆われることになり、巻回する際に帯状部３１が開いたりすることを防止でき、製造作業を効率的に行うことができる。
【０１０５】
このように、実施形態のシート状導体は、少なくとも１枚が当該シート状導体の内側に長手方向に沿って設けられた溝部３０によって短手方向に区分けされた複数の帯状部３１を有し、帯状部３１の両端においてそれぞれ個別に折り曲げることにより、内周側と外周側とが入れ替えられている。
【０１０６】
これにより、第一導体５および第二導体６は、１ターン中における内周側に配置される部位の長さと外周側に配置される部位の長さとが等しくなり、且つ、転位位置９がメインギャップ１１側から１ターン目に設けられていることから、抵抗損失を抑制することができる。
【０１０７】
また、転位位置９を最も高い効果を得ることができる１箇所に設けているので、製造を容易に行うことができる。したがって、製造の簡略化と抵抗損失の増加の抑制とを両立させることができる。
【０１０８】
また、２枚のシート状導体は、転位位置９の幅（Ｗ７）が、当該シート状導体の幅（Ｗ２）未満となった状態で、実施形態で言えば帯状部３１の幅と一致する幅で、内周側と外周側とが入れ替えられている。これにより、長手方向において転位位置９が占有する長さを短くすることができ、第一導体５と第二導体６とで電流が対称的に流れる範囲が相対的に長くなり、特性への影響を抑えることができる。
【０１０９】
また、溝部３０は、シート状導体の長手方向において半ターン分の距離（Ｗ８）だけ離間した位置に形成されており、２枚のシート状導体は、それぞれの転位位置９に対応する溝部３０において、内周側と外周側とが入れ替えられている。これにより、２枚のシート状導体を容易に半ターン分の位置で入れ替えることができる。
【０１１０】
また、溝部３０は、少なくとも半ターン分の長さに形成されており、２枚のシート状導体は、溝部３０の両端で折り曲げることにより、本実施形態で言えば一方のシート状導体を他方のシード状導体を跨ぐように折り曲げることにより、２枚のシート状導体を容易に半ターン分の位置で入れ替えることができる。
【０１１１】
複数の帯状部３１のうち少なくとも２つの帯状部３１は、シート状導体の長手方向において同じ位置で重なるように曲げられている。これにより、転位位置９におけるシート状導体の厚みや跨ぎシロを調整することができ、寸法規制がある場合等にも対応することができる。
【０１１２】
（その他の実施形態）
各実施形態では半ターンごとに転位させる例を示したが、１ターン中における内周側に配置される部位の長さと外周側に配置される部位の長さとが等しくなっていれば、例えば１／４ターンごとに転位させる構成とすることもできる。この場合も、抵抗損失を抑制することができる等、実施形態と同様の効果を得ることができる。
【０１１３】
各実施形態で示した折り曲げ方以外にも、内周側と外周側とを入れ替え可能であって、転位位置９の前後において導体がほぼ同一平面で並列にすることができる折り曲げ方であれば、他の折り曲げ方を採用することもできる。
【０１１４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１５】
図面中、３は内周側コイル（シートコイル）、４は外周側コイル（シートコイル）、５、５Ａ、５Ｂは第一導体（シート状導体）、６、６Ａ、６Ｂは第二導体（シート状導体）、７はスリット、８は補助導体、９は転位位置、１０は環状コイル（シートコイル）、１１はメインギャップ、２０は単一導体（シート状導体）、３０は溝部、３１は帯状部を示す。
【図１】
2019067977.tif 000003
【図２】
2019067977.tif 000004
【図３】
2019067977.tif 000005
【図４】
2019067977.tif 000006
【図５】
2019067977.tif 000007
【図６】
2019067977.tif 000008
【図７】
2019067977.tif 000009
【図８】
2019067977.tif 000010
【図９】
2019067977.tif 000011
【図１０】
2019067977.tif 000012
【図１１】
2019067977.tif 000013
【図１２】
2019067977.tif 000014
【図１３】
2019067977.tif 000015
【図１４】
2019067977.tif 000016
【図１５】
2019067977.tif 000017
【図１６】
2019067977.tif 000018
【図１７】
2019067977.tif 000019
【図１８】
2019067977.tif 000020
【図１９】
2019067977.tif 000021
【図２０】
2019067977.tif 000022
【図２１】
2019067977.tif 000023
【図２２】
2019067977.tif 000024
【図２３】
2019067977.tif 000025
【図２４】
2019067977.tif 000026